(57)【特許請求の範囲】
【請求項１】
マイクロ波エネルギーを発生させるためのマイクロ波エネルギー発生器、を備えるタイプの紫外線ランプシステム、のための検出器であって、
過剰な量のマイクロ波エネルギーに晒されると故障することができる少なくとも１つの放射線感受性素子を備えており、マイクロ波エネルギーを受信するアンテナから入力されるマイクロ波エネルギーをあらかじめ与えられた値に対して比較する第１の回路と、
前記第１の回路に繋がれており、前記放射線感受性素子が故障したかどうかを断続的にテストするよう構成された第２の回路と、
を備える検出器。
【請求項２】
前記第２の回路は、前記放射線感受性素子をテストするために、既知の信号を前記第１の回路に供給するよう構成される、請求項１に記載の検出器。
【請求項３】
前記第２の回路は更に、前記放射線感受性素子をテストするために、前記第１の回路による前記マイクロ波エネルギーの検出を一時的に停止させるよう構成される、請求項２に記載の検出器。
【請求項４】
前記放射線感受性素子は検出ダイオードであって、前記第２の回路は該検出ダイオードを隔てての開回路またはショート回路を検出するよう構成される、請求項１に記載の検出器。
【請求項５】
前記放射線感受性素子は抵抗器であって、前記第２の回路は該抵抗器を隔てての開回路またはショート回路を検出するよう構成される、請求項１に記載の検出器。
【発明の詳細な説明】
【技術分野】
【０００１】
［発明の分野］
本発明は、一般には紫外線ランプシステムに関し、より詳細には、マイクロ波で励起された（ｍｉｃｒｏｗａｖｅ−ｅｘｃｉｔｅｄ）紫外線ランプシステムからのマイクロ波エネルギーの検出に関する。
【０００２】
［発明の背景］
紫外線（ＵＶ：ｕｌｔｒａｖｉｏｌｅｔ）ランプシステムは、接着剤、シーリング剤、インク、そして塗料といった材料の熱処理（ｈｅａｔｉｎｇ）や硬化処理（ｃｕｒｉｎｇ）に、広く用いられている。特定の紫外線ランプシステムは無電極の光源を有し、マイクロ波エネルギーを用いて無電極プラズマランプを励起することによって動作する。マイクロ波エネルギーを用いての励起に依存した、ある無電極の紫外線ランプシステムにおいて、その無電極ランプは金属のマイクロ波空洞（ｍｉｃｒｏｗａｖｅ  ｃａｖｉｔｙ）又はチャンバー内部に搭載される。マグネトロンのような１以上のマイクロ波発生器が、導波管を介してマイクロ波チャンバー内部に繋がれる。マグネトロンは、無電極ランプ内に封入されたガス混合物からプラズマを開始し持続させるためのマイクロ波エネルギーを供給する。そのプラズマは、紫外域、そして赤外域の波長を有するスペクトル線、又は光子で強く重みが付けられた、特性スペクトル電磁波放射を放出する。
【０００３】
基材（ｓｕｂｓｔｒａｔｅ）へ照射するために、紫外線はマイクロ波チャンバーからチャンバーの排出口（ｃｈａｍｂｅｒ  ｏｕｔｌｅｔ）を介して、外部の場所へ向けられる。チャンバーの排出口は、紫外線がマイクロ波チャンバーの外部へと透過することを許しつつ、一方でマイクロ波エネルギーの放出をブロックすることができる。従来の紫外線ランプシステムの多くは、目の細かい（ｆｉｎｅ−ｍｅｓｈｅｄ）金属スクリーンによってチャンバーの排出口を覆う。金属スクリーン中の開口部は、マイクロ波チャンバーの外部に配置された基材へ照射するための紫外線を透過させるが、マイクロ波エネルギーの放出を大体はブロックする。
【０００４】
紫外線ランプシステムの操作者を保護するため、操作者とランプの間にＲＦ検知器が置かれる。これらＲＦ検知器はマイクロ波エネルギー検出器に接続されており、それらはＯＳＨＡ（米国安全衛生局）標準（電子レンジの標準と類似のものである）に基づいた、既定の量、例えば約５ｍＷ／ｃｍ2  を超えるマイクロ波エネルギーを検出するためのセットである。マイクロ波エネルギーの出力レベルがこの量を超えた場合は、操作者がマイクロ波エネルギーに晒されることを抑えるために、マイクロ波エネルギー検出器はシステムをシャットダウンするよう構成されている。
【０００５】
マイクロ波エネルギー検出器は、放射線感受性（ｒａｄｉａｔｉｏｎ−ｓｅｎｓｉｔｉｖｅ）がある何らかの素子を備えていてよい。１以上の放射線感受性素子が故障した場合には、マイクロ波エネルギー検出器が損傷を受け、過剰なマイクロ波エネルギーの放出を正確に報告できない可能性がある。例えば、チャンバーの排出口を覆ってマイクロ波エネルギーをブロックするために使われる網目スクリーンは、典型的にはタングステン線のような金属から作られており、極めて繊細である。従ってそれらは簡単に損傷を受けるのであり、マイクロ波エネルギーがマイクロ波空洞の外に抜け出ることを許す。極端なケースでは、保護スクリーンが取り除かれた状態で紫外線ランプシステムを動作させようとする試みがなされるかもしれない。これらのケースでは、検出器がランプシステムの動作を阻止するはずである。しかしながら、検出器とサポート回路（ｓｕｐｐｏｒｔｉｎｇ  ｃｉｒｃｕｉｔｒｙ）は過剰なマイクロ波エネルギーによって損傷を受けうるし、損傷を受けた素子が開回路となるかショートする（ｏｐｅｎ  ｏｒ  ｓｈｏｒｔ  ｃｉｒｃｕｉｔ）時に継続してランプシステムが動作することを検出器が許すようなやり方をすれば、それらはまた損傷を受けうる。
【発明の開示】
【課題を解決するための手段】
【０００６】
［発明の概要］
本発明は、マイクロ波エネルギー発生器と、そのマイクロ波エネルギー発生器によって発生したマイクロ波エネルギーによって励起された時に紫外線を放出するよう構成された無電極のランプとを備える、紫外線ランプシステムを提供する。この紫外線ランプシステムは更に、過剰な量のマイクロ波エネルギーを検出するための検出器を備える。その検出器は、マイクロ波エネルギーを検出するよう構成された第１の回路を含むのであり、その第１の回路は、過剰な量のマイクロ波エネルギーに晒されると故障することができる、少なくとも１つの放射線感受性の素子を備える。第２の回路は第１の回路に繋がれており、そして、その放射線感受性素子が故障したかどうかを断続的にテストするよう、構成されている。
【０００７】
第２の回路は、その放射線感受性素子をテストするために、ある既知の信号を第１の回路へ供給するよう構成されている。その既知の信号はＲＦ信号、低周波ＡＣ信号、又はＤＣ信号であってよい。その第２の回路は更に、その放射線感受性素子をテストするために、第１の回路によるマイクロ波の検出を一時的に停止させるよう構成されている。第２の回路は、その放射線感受性素子（検出ダイオードか抵抗器であってよい）を隔てての、開回路又はショートした回路を検出することによって、その放射線感受性素子をテストする。ある実施形態において、その紫外線ランプシステムのためのマイクロ波エネルギー発生器はマグネトロンである。
【０００８】
［詳細な説明］
ここにおいて開示されるさまざまな実施形態は、検出回路と繋がれたテスト回路を含む、紫外線ランプシステムのための、マイクロ波エネルギー検出器を提供する。テスト回路は、検出回路における１以上の放射線感受性素子のインテグリティをチェックするよう、そして紫外線ランプシステムの操作者への追加的保護手段を提供するよう、動作可能である。いくつかの実施形態において、テスト回路は、マイクロ波エネルギー検出器の動作を停止させ、既知の信号を検出回路に取り込み、そのマイクロ波エネルギー検出器の出力を既知のテスト信号に基づいた理論値に対して比較することによって、検出回路における放射線感受性素子をテストすることができる。マイクロ波エネルギー検出器から過剰なエネルギーが検出されたときにそうするであろうと同様に、テストの結果が放射線感受性要素の故障を示すものであるならば紫外線ランプシステムをシャットダウンしてよい。この実施形態において回路という用語は、電気回路を形成する電気素子の個々の集合と、特定の機能を果たす電気回路の集合との両方へ言及するのに用いられる。
【０００９】
放射線感受性素子は、他にも様々なやり方で故障しうるのではあるが、そのような素子が故障する１つのメカニズムは、ＵＶランプシステムの開口部（ａｐｅｒｔｕｒｅ）を覆うために広く用いられている、目の細かいスクリーンに関係する。上で論じたように、目の細かいスクリーンは典型的には紫外線ランプの前部に備えられるのであるが、それらはマイクロ波チャンバーから開口部を介して、電磁波放射（紫外線）と共にやって来る、マイクロ波エネルギー量を最小化するために用いられる。上で論じたように、マイクロ波エネルギーはマイクロ波エネルギー検出器によって継続的に監視されているのであり、マイクロ波エネルギーがあらかじめ与えられた安全レベルを超える場合に、マイクロ波エネルギー検出器はマイクロ波エネルギー発生器とランプの動作とをシャットダウンしてよい。しかしながら、目の細かいスクリーンを取り除いて、又はそれが損傷した状態で紫外線ランプシステムを動作させることは、マイクロ波エネルギー検出器の検出回路における放射線感受性素子を過剰なマイクロ波エネルギーに晒し、そしてそれら素子を故障させる（検出回路によって、マイクロ波エネルギーの過剰な出力を報告することが不可能となる）可能性がある、ということが明らかになっている。
【発明を実施するための最良の形態】
【００１０】
図面を参照すると（同等の番号は同等の素子を多角的視点で示している）、図１は紫外線ランプシステム１０のブロック図であって、該ランプシステムはマイクロ波エネルギーによって無電極ランプ１２を励起させることに依存するものである。無電極ランプ１２は金属のマイクロ波チャンバー１４内部に搭載されている。１以上のマイクロ波エネルギー発生器１６ａ、１６ｂ、例えばマグネトロンなどが、導波管１８ａ、１８ｂを介してマイクロ波チャンバー１４内部と繋がれている。マイクロ波エネルギー発生器１６ａ、１６ｂは、紫外線２０を発生させるため、無電極ランプ１２にマイクロ波エネルギーを供給する。紫外線２０は、マイクロ波チャンバー１４からチャンバーの排出口２２を介して、チャンバーの排出口２２を覆っていて紫外線２０がマイクロ波チャンバー１４の外へ透過することを許しつつマイクロ波エネルギーの放出をブロックすることができる目の細かい金属スクリーン２４を介して、外部の場所へ向けられる。
【００１１】
マイクロ波エネルギー検出器３０に繋がれたＲＦ検知器２８は、紫外線ランプシステム１０の操作者２６を、過剰なレベルのマイクロ波エネルギーに晒されることから保護する。ＲＦ検知器２８は操作者２６とランプ１０との間に置かれる。マイクロ波エネルギー検出器は既定の量、例えば約５ｍＷ／ｃｍ2  を超えるマイクロ波エネルギーを検出するよう構成される。ＵＶランプシステム１０がその既定の量を超えるマイクロ波エネルギーレベルを出力する場合、操作者２６がマイクロ波エネルギーに晒されることを抑えるため、マイクロ波エネルギー検出器３０は直接的に、または間接的に、ＵＶランプ１０をシャットダウンするよう構成される。
【００１２】
図２は、本発明に従ったテスト回路６０−６６と共にある、ダイオード検出回路４０を有するマイクロ波エネルギー検出器３０の典型的実施形態についての更なる詳細を与えるブロック図である。例えばアンテナ２９のようなＲＦ検知器２８が、図１で図示された操作者２６への保護手段として、ランプ１０と操作者２６との間に置かれる。アンテナ２９のレセプタクル（ｒｅｃｅｐｔａｃｌｅ）２９ａ−２９ｃ（図３）は、マイクロ波発生器１６ａ、１６ｂによって発生し、開口部２２を介してマイクロ波空洞１４から放射されたマイクロ波エネルギーを受信する。アンテナ２９はダイオード検出回路４０として構成された第１の回路に電気的に接続されるのであり、第１の回路は、例えば検出ダイオード７０（図３）のような放射線感受性素子を含んでよい。
【００１３】
ダイオード検出回路４０はコンパレータ回路として振る舞い、入力されるマイクロ波エネルギーをあらかじめ与えられた値に対して比較する。比較はダイオード検出回路４０それ自身において行われてもよいし、または、追加的な例として、検出回路４０はマイクロコントローラ４２に電気的に接続され、それによって、受信されたマイクロ波エネルギーとあらかじめ与えられた値との比較が実行されてもよい。いくつかの実施例においては、マイクロ波エネルギーがあらかじめ与えられた値を超える場合にＵＶランプシステム１０の動作をシャットダウンするよう、マイクロコントローラ４２を用いてもよい。あらかじめ与えられる比較値はおよそ５ｍＷ／ｃｍ2であり、現在の電子レンジにおける標準とＯＳＨＡ要件とに基づいている。この検出回路の別の実施形態として、上記とは異なる別の標準に基づいた値をあらかじめ与えてもよい。いくつかの実施形態において、マイクロコントローラ４２はＵＶランプシステム１０を直接はシャットダウンせず、ＵＶランプシステム１０内の他の回路にシャットダウンのための信号を送る“トリップ（Ｔｒｉｐ）”条件をセットしてもよい。トリップ調整ポテンショメータ４４を用いての、検出されるべきトリップ条件の調整は、製品において最初になされる較正の一部である。
【００１４】
アンテナ２９によって受信されるマイクロ波エネルギーは、入力電圧が常にダイオード検出回路４０によって測定されるようにとシフトされた値である。いくつかの実施形態において、電圧シフトはエネルギー入力ゼロに対しておおよそ２ボルト（Ｖｏｌｔ）である。シフトレベルは、トリップ調整ポテンショメータ４４か、又は他の基準回路４６によって調整してよい。
【００１５】
いくつかの実施形態において、マイクロコントローラ４２は、例えば図２において通信及び電力供給コネクタ４８とラベルが付された回路、そして素子のような、ＵＶランプシステム１０における他の部分と通信する。マイクロコントローラ４２はシリアル通信５０を介して通信してもよいし、又は他の実施例のために他のタイプの通信を介してもよい。通信及び電力供給コネクタは、マイクロコントローラ１４に電力を供給するのであり（５２）、基準回路４６における基準電圧レベルを決定し、そして／又はセットする責任を負う。
【００１６】
ＵＶランプシステム１０の安全性を改善するために、ダイオード検出回路４０における任意の放射線感受性素子のインテグリティをテストするテスト回路６０−６６として構成された第２の回路を、実施形態に含める。ダイオード検出回路４０中の素子のテストは断続的に、例えば大体１０秒から３０秒ごとに実行してよい。他の実施形態においては、より高い頻度で、またはより低い頻度でテストを実行してもよい。本願の目的においては、テストが規則的な間隔で実行されるならば、断続的とは周期的を意味するものであるし、テストの間の間隔が可変であって、そして／または  操作者２６の自由裁量であるならば、それは周期的でないことを意味する。そのテストを実行するために、マイクロコントローラ４２は、ダイオード検出回路４０によるマイクロ波エネルギーの検出を一時的に停止させる。マイクロ波エネルギー検出の停止の後、マイクロコントローラ４２は第１のアナログスイッチ６０を入れる（ａｃｔｉｖａｔｅ）のであり、それによってテスト信号を、低域通過フィルタ６２を通過させ、放射線感受性素子の前にあるダイオード検出回路４０へと渡すことが可能となる。放射線感受性素子がテストに合格した場合、マイクロコントローラ４２はそれから第１のアナログスイッチ６０を切り（ｄｅａｃｔｉｖａｔｅ）、そして第２のアナログスイッチ６４を入れる。再びテスト信号はスイッチ６４から低域通過フィルタ６６を通過し、放射線感受性素子の後ろにあるダイオード検出回路４０へと渡される。放射線感受性素子がこのテストにも合格した場合、マイクロコントローラ４２は第２のアナログスイッチ６４を切って、ダイオード検出回路４０へのマイクロ波エネルギー検出動作を復旧させる。低域通過フィルタ６２、６６は、アンテナ２９から受信されたマイクロ波エネルギーからテスト回路６０−６６を隔離するために用いてよい。
【００１７】
検出回路４０の放射線感受性素子は、図３の概略図に示されるように並列接続された検出ダイオード７０と抵抗器７２から成っていてよい。過剰なマイクロ波エネルギーに晒されることでこれら素子のいずれかが故障すれば、マイクロ波エネルギーレベルを正確に検出するというダイオード検出回路４０の能力に影響を及ぼすかもしれない。第１のテストの間、マイクロコントローラ４２は第１のアナログスイッチ６０を入れ、ＤＣ基準電圧７４をもってアナログスイッチ６０と低域通過フィルタ６２を通過させ、アンテナ２９からコンデンサ７６における地面へと電圧を供給する。電圧測定はコンデンサ７６において行うことができ、それは上で論じた閾値電圧約２ボルトより高いかもしれない。他の実施形態において、ダイオード検出回路４０の別の部分からの電圧測定を、例えば抵抗回路網７８において行ってもよい。マイクロ波エネルギー検出器はまた、ダイオード検出回路４０とデジタル論理回路８０の２つの区域から成っていてもよい。ダイオード検出回路４０を含む区域は、上で論じた基準に対して比較される電圧を供給するため、抵抗回路網７８と併せて検出ダイオード７０を使うのであり、当該技術分野で現在知られているものである。デジタル論理回路８０は、ＵＶランプシステムコントロールと通信するマイクロコントローラ４２と共に追加的デジタル素子８２を備え、いくつかの実施形態においては、マイクロ波エネルギーの検出とテスト信号の検出との間での切り替え動作を行うことができる。
【００１８】
第２のテストの間、マイクロコントローラ４２は第１のアナログスイッチ６０を切って、第２のアナログスイッチ６４を入れる。これにより、基準電圧７４をダイオード７０の後ろからコンデンサ７６における地面へと印加することが可能となる。再び、コンデンサ７６において電圧測定が可能であるが、ダイオードの両端での電圧降下により、測定値は第１のテストにおけるよりも低いかもしれない。ダイオード７０がショートした場合、電圧は同じかもしれない。ダイオード７０が開回路である場合には電圧は一層低いかもしれないのであって、それはダイオード検出回路４０の中での故障を示唆する。同様の電圧測定値は、抵抗器７２の故障を示唆するものである。テスト回路６０−６６についての代わりの実施形態では、抵抗器７２又はダイオード７０の両端での電位差をテストすることのみが可能である。
【００１９】
図２と図３において描かれる、上述の検出回路４０とテスト回路６０−６６とは、図４のフローチャート中で図解される２つのテストループにおいて機能する。ブロック１００におけるマイクロコントローラ４２と他ハードウェアの初期化の後、ブロック１０２において、ダイオード検出回路４０のテストのための時間間隔が診断タイマーにロードされる。もしテストのためのタイマーが切れていなければ（判定ブロック１０４における“ＮＯ”の分岐）、ダイオード検出回路４０に対するループが実行される。ダイオード検出回路４０のループでは、まずブロック１０６において、較正ポテンショメータ４４からトリップ値（ｔｒｉｐ  ｖａｌｕｅ）のセットを読み込む。回路４０はそれから、ブロック１０８において、アンテナ２９上で受信されたマイクロ波エネルギーからＲＦ電圧を測定し、そしてそのＲＦ電圧を、ダイオード検出回路４０を介して処理する。それからブロック１１０において、ＲＦ電圧は較正ポテンショメータ４４から得られたトリップ値と比較される。ＲＦ電圧の測定値がトリップ値を超える場合（判定ブロック１１２における“ＹＥＳ”の分岐）、マイクロコントローラ４２はブロック１１４においてトリップ条件をセットし、別の検出サイクルに移ってもよい。上で論じたように、他の回路がそれからそのトリップ信号を受信して、ＵＶランプシステム１０の動作をシャットダウンしてよい。ＲＦ電圧の測定値がトリップ値を超えない場合（判定ブロック１１２における“ＮＯ”の分岐）、マイクロコントローラ４２はブロック１１６においてトリップ条件をクリアし、別の検出サイクルに移るであろう。この一連のステップ１０４−１１６は、テストのためのタイマーが切れる（判定ブロック１０４における“ＹＥＳ”の分岐）まで続く。
【００２０】
タイマーが切れると、上述の通りダイオード検出回路４０をテストする前に、マイクロコントローラ４２が一時的にマイクロ波エネルギー検出を停止させてよい。マイクロコントローラ４２が第１のアナログスイッチ６０を有効にするとき、ブロック１２０においてテストが開始される。ブロック１２２において、第１のアナログスイッチ６０から印加される基準電圧７４が上述の通り測定され、そして電圧の理論値と比較される。テスト電圧の測定値が、許容できる窓の内部において（ｗｉｔｈｉｎ  ａｎ  ａｃｃｅｐｔａｂｌｅ  ｗｉｎｄｏｗ）理論値と一致しない場合（判定ブロック１２４における“ＮＯ”の分岐）、ブロック１２６において故障条件がセットされ、第１のアナログスイッチ６０は無効となる。処理はそれからマイクロ波エネルギーの検出動作へと戻るのであり、そこにおいては、上記のダイオード検出回路４０を用いたのと同様に、他の回路が故障条件を受信し、ＵＶランプシステム１０をシャットダウンするか、又は他の適切な措置を講じてよい。
【００２１】
電圧の測定値が理論値と、許容できる窓の内部において一致する場合には（判定ブロック１２４における“ＹＥＳ”の分岐）、ブロック１２８において、第１のテストからの第１のアナログスイッチ６０が無効となり、第２のテストのための第２のアナログスイッチ６４が有効となる。ブロック１３０において、第２のアナログスイッチ６４から印加される基準電圧７４が測定され、理論値と比較される。上記と同様に、電圧測定値が許容できる窓の内部において理論値と一致しない場合（判定ブロック１３２における“ＮＯ”の分岐）、ブロック１３４において故障条件がセットされ、第２のアナログスイッチは無効となる。処理はそれからマイクロ波エネルギーの検出動作へと戻るのであり、そこにおいては、第１のテストからの故障と同じく、そして上記のダイオード検出回路４０を用いたのと同様に、他の回路が故障条件を受信し、ＵＶランプシステム１０をシャットダウンするか、又は他の適切な措置を講じてよい。  電圧の測定値が理論値と、許容できる窓の内部において一致する場合には（判定ブロック１３２における“ＹＥＳ”の分岐）、ブロック１３６において、故障条件はクリアされ、第２のアナログスイッチ６４は無効となる。テスト回路のための診断タイマーはそれからリセットされ、ブロック１０２において新しい時間の値をロードされ、そして１０４−１１６のマイクロ波エネルギー検出が再び始まる。
【００２２】
上述の実施形態においては２つのテスト条件を含むシステムを説明したのだが、他の実施形態においては２を超えるテスト条件を合間に採用しても、又はより少ないテスト条件を採用してもよい。同様に、上述の実施形態においては抵抗素子７２とダイオード素子７０のみをテストしたのであるが、ダイオード検出回路４０における他の１以上の素子を、それに代わって、またはそれに追加してテストしてよい。上述の実施形態においてはダイオード検出回路４０からテスト回路６０−６６を隔離するために低域通過フィルタ６２、６６を利用しており、よってテスト信号はＤＣ又は低周波のＡＣとすることが可能である。ＲＦテスト信号を採用することもできるのであり、それには上述の低域通過フィルタを用いたのとは別の隔離手段が要求される。
【００２３】
加えて、本発明の実施形態を、マイクロ波エネルギー検出器３０の較正におけるドリフト（ｄｒｉｆｔ  ｉｎ  ｔｈｅ  ｃａｌｉｂｒａｔｉｏｎ）を検出するのに用いることもできる。ＵＶランプシステム１０の較正の間、現時点でマイクロ波エネルギーが存在しないときは、較正テスト電圧は放射線感受性素子の両端にかけられ、そしてマイクロコントローラ４２によって不揮発性メモリに記憶される。引き続いての動作の間、マイクロコントローラ４２は最初に、マイクロ波エネルギーが存在するかどうかを測定するであろう。存在する場合、マイクロコントローラ４２は断続的にマイクロ波エネルギーの検出を停止し、上述の実施形態で説明されたテスト信号を供給するであろう。マイクロ波エネルギーが存在しない場合は、マイクロコントローラ４２は、放射線感受性素子の両端における電圧測定値と較正の間に記録された較正テスト電圧とを比較し、較正におけるドリフトがあるかどうかを決定する。
【００２４】
本発明はさまざまな実施形態の描写によって説明されてきたのであり、これら実施形態はかなり詳細に描写されてきたのではあるが、添付の請求の範囲をそのような細部へと制限することも、又はいかなる限定をすることも、出願人は意図していない。当業者は、追加的な利点や改良を容易に思いつくであろう。従って、幅広い態様においての本発明は、特定の細部や、典型的な装置や方法や、そして図示され、説明された図解的な例にも制限されない。従って、出願人の有する一般的発明概念の精神ないしは範囲から逸脱することなく、そのような細部より出発することができる。
【００２５】
添付の図面は本発明の実施形態を図解するものであり、上述された本発明の一般的説明、そして以下に与えられる詳細な説明と共に、本発明の原理を説明するために役立つ。
【図面の簡単な説明】
【００２６】
【図１】図１は、紫外線ランプシステムのブロック図である。
【図２】図２は、本発明に従った図１のＵＶランプシステムにおけるマイクロ波エネルギー検出器のためのテスト回路を含む、検出回路の典型的実施形態のブロック図である。
【図３】図３は、図２におけるテスト回路の典型的実施形態の概略図である。
【図４】図４は、本発明の典型的実施形態のフローチャートであり、マイクロ波エネルギー検出器の検出回路と連動して動作するテスト回路を説明する。
【図１】
0005721928.tif 000002
【図２】
0005721928.tif 000003
【図３】
0005721928.tif 000004
【図４】
0005721928.tif 000005